(57)【要約】  本来の障害部材としての機能を損なうことなく、かつエアーがハウジング２の空間に滞留することなく速やかにハウジングの透析液ポート出口方向へ抜けやすい血液処理装置を提供する。  ハウジング２の長手方向に見て、透析液ポート入口７.１及び／又は透析液ポート出口７.２を形成した位置に、略円筒状の障害部材（１１）を配置しているもので、当該障害部材１１は、側部Ｓ方向の少なくとも一箇所に開口部１１ＯＰを長手Ｌ方向に沿うように形成している。そしてこの開口部１１Ｏは、より狭い幅の基端側開口部１１ＯＰＥと、より広い幅の末端側開口部１１ＯＤＥとを有する。この末端側開口部１１ＯＤＥ及び／又は基端側開口部１１ＯＰＥは、両側部Ｓ方向にアール部Ｒを形成し、この開口度が徐々に変化するように構成している。【選択図】図５
2014050468.tif 000002
【特許請求の範囲】
【請求項１】
ハウジング（２）の内部に、当該ハウジング（２）の長手Ｌ方向に沿って中空糸膜束（４）を配置し、
当該中空糸膜束（４）の末端ＤＥ側と基端ＰＥ側を、それぞれ固定材（３）により前記ハウジング（２）の末端ＤＥ側と基端ＰＥ側内面に固定し、
前記ハウジング（２）の末端ＤＥ側で、かつ第１側部Ｓ１方向に、透析液ポート入口（７.１）を装着し、
前記ハウジング（２）の基端ＰＥ側で、かつ第１側部Ｓ１方向に、透析液ポート出口（７.２）を装着し、
前記ハウジング（２）の末端ＤＥ側に、血液ポート出口（５．２）を装着し、
前記ハウジング（２）の基端ＰＥ側に、血液ポート入口（５．１）を装着し、
前記ハウジング（２）の長手Ｌ方向に見て、前記透析液ポート入口（７.１）及び／又は前記透析液ポート出口（７.２）を形成した位置に対応する位置に、障害部材（１１）を配置し、
前記障害部材（１１）は、略円筒状の形態を有し、
前記透析液ポート入口（７.１）の障害部材（１１）は、基端ＰＥ側を、前記ハウジング（２）内に固定し、及び／又は、
前記透析液ポート出口（７.２）の障害部材（１１）は、末端ＤＥ側を、前記ハウジング（２）内に固定し、
当該障害部材（１１）は、側部Ｓ方向の少なくとも一箇所に開口部（１１ＯＰ）を形成し、
当該開口部（１１Ｏ）は、長手Ｌ方向に沿うように形成し、
当該開口部（１１Ｏ）は、基端側開口部（１１ＯＰＥ）と末端側開口部（１１ＯＤＥ）とを有し、
前記透析液ポート入口（７.１）の障害部材（１１）は、当該末端側開口部（１１ＯＤＥ）の両側部Ｓ方向、すなわち第３側部Ｓ３側と第４側部Ｓ４側の両方にアール部（Ｒ）を形成し、及び／又は、
前記透析液ポート出口（７.２）の障害部材（１１）は、当該基端側開口部（１１ＯＰＥ）の両側部Ｓ方向、すなわち第３側部Ｓ３側と第４側部Ｓ４側の両方にアール部（Ｒ）を形成した、ことを特徴とする血液処理装置（１）。
【請求項２】
前記透析液ポート入口（７.１）の障害部材（１１）は、
前記末端側開口部（１１ＯＤＥ）の大きさ（ＷＤＥ）を、
前記基端側開口部（１１ＯＰＥ）の大きさ（ＷＰＥ）よりも大きく形成し、及び／又は、
前記透析液ポート出口（７.２）の障害部材（１１）は、
前記基端側開口部（１１ＯＰＥ）の大きさ（ＷＰＥ）を
前記末端側開口部（１１ＯＤＥ）の大きさ（ＷＤＥ）よりも大きく形成した、ことを特徴とする請求項１に記載の血液処理装置（１）。
【請求項３】
前記開口部１１Ｏの大きさ（ＷＯ）は、０．１〜４９ｍｍ、
前記透析液ポート入口（７.１）の障害部材（１１）は、
末端側開口部（１１ＯＤＥ）の大きさ（ＷＤＥ）は、０．３〜５５ｍｍ、
基端側開口部（１１ＯＰＥ）の大きさ（ＷＰＥ）は、０．１〜４５ｍｍに形成し、及び／又は、
前記透析液ポート出口（７.２）の障害部材（１１）は、
末端側開口部（１１ＯＤＥ）の大きさ（ＷＤＥ）は、０．１〜４５ｍｍ、
基端側開口部（１１ＯＰＥ）の大きさ（ＷＰＥ）は、０．３〜５５ｍｍに形成した、ことを特徴とする請求項１または請求項２に記載の血液処理装置（１）。
【請求項４】
前記開口部（１１Ｏ）のアール部（Ｒ）の曲率半径ｒは、１〜６０ｍｍに形成した、ことを特徴とする請求項１から請求項３のいずれか１項に記載の血液処理装置（１）。
【請求項５】
前記アール部（Ｒ）の角度θは、０°〜６０°に形成した、ことを特徴とする請求項１から請求項４のいずれか１項に記載の血液処理装置（１）。
【請求項６】
前記障害部材（１１）は、側部Ｓ方向の二箇所以上に前記開口部（１１ＯＰ）を形成した、ことを特徴とする請求項１から請求項５のいずれか１項に記載の血液処理装置（１）。
【請求項７】
前記障害部材（１１）は、少なくとも第２側部Ｓ方向に前記開口部（１１ＯＰ）を形成した、ことを特徴とする請求項１から請求項６のいずれか１項に記載の血液処理装置（１）。
【発明の詳細な説明】
【技術分野】
【０００１】
本発明は、血液透析、血液ろ過、血液透析ろ過、及び血漿分離等に用いる血液処理装置のエアー抜きに関する。より詳しくは、本発明は、中空糸膜束をハウジング（「ケーシング」ともいう）の内部に装填した血液処理装置のプライミング時（透析治療の開始直前に、当該ハウジング内に透析液、中空糸束内部に生理食塩水溶液を充填して、ハウジング内及び中空糸膜束内のエアーを追い出す作業）のエアー抜きや、透析等の治療中において、ハウジング内に混入するエアー、又は発生するエアーに関し、それを系外に除去する操作（エアー抜き）を容易に行えるように構成した新規な血液処理装置に関する。
本発明は特に、ハウジング内に形成した、新規な障害部材を備えた血液処理装置に関する。
【背景技術】
【０００２】
血液処理装置とは、中空糸膜の分離作用を利用して、血液中の病因物質を除去する装置であって、例えば血液透析装置を例に取れば、中空糸膜を通常数千本束ねた中空糸膜束内（管腔内）を、処理対象の血液（患者の静脈より採取される血液）が流れ、これに対して透析液が中空糸膜外（管腔外）をこれと向流で流れる（向流操作という。）。かくして、処理血液と透析液が膜を介して間接的に接触する当該向流操作中に、血液中の病因物質、過剰イオン、水等が、その濃度差を推進力として、膜内を拡散して透過し、透析液中に排泄され、浄化された血液が患者の静脈中に戻される操作を行う装置である。【０００３】
このような血液透析装置は、一般的に図１に示したような構造を有するもので、長尺で管状（筒状）のハウジング２内に、中空糸膜束４が収容され、当該ハウジングの両端部には処理血液の入口５．１、出口５．２が、また両端部近傍の管状ハウジングの外周には、透析液ポート入口７．１、出口７．２が形成されている。通常中空糸膜が充填された、筒状のハウジングの本体は、その両端において（ハウジングの直径である）小径部２．１から、移行部２．３を経て徐々に拡径され、最大拡径部（大径部２．２）に至る。この最大拡径部２．２の両端部は、キャップ部材８を装着されて封止されており、上記処理血液入口５．１、出口５．２はこの両端のキャップ部材８を貫通して形成されている。【０００４】
この場合、管状ハウジングの側部に形成された透析液ポートから流入する透析液は、ハウジングの長手方向に配列された中空糸膜束の端部に対して交差するように（略直角（垂直）方向から）直接衝突することになるので、当該衝突により中空糸膜束は破損したり、配置が乱され、ひいては血液透析装置の処理効率が低下したり、さらには血液が破損部から漏出して運転がスムースに継続できないという問題が生ずる。また、透析液が中空糸膜束全体に分散させることができなくなるので（偏流の惹起）、この点からも透析装置の効率が著しく低下するという問題がある。
かかる問題に対処するため、従来、透析液ポート入口７．１の下部に、当該ポートに対向するように障害部材（「バッフル板（又は円筒）などともいう。」）を設置して、透析液流と中空糸膜束との衝突を和らげるとともに、透析液を分散、かつ、整流して中空糸膜束との向流接触を図るようにしている。すなわち、障害部材の基本的な目的は、包括的に言えば、透析液の流入状態を改善し、透析効率を向上させるものである。かかる障害部材の形状としては、従来、舌状、板状、棒状、さらには環状（円筒状、リング状ともいう）のものが提案され、実施されている。【０００５】
一方、血液処理装置には、透析操作中に透析液と共に空気（エアーともいう。）が混入するという問題がある。装置内に空気が混入すると、その空気が占める空間は、透析が進行する前提となる、透析液／中空糸膜／血液で形成される、液／固／液系の構成が成立しなくなるので、血液中の病因物質等の膜を通しての拡散移動が円滑に行われず、そのため血液浄化効率が大幅に低下する。その為に、あらかじめプライミングを行い、装置内に存在する空気を除去し、また、透析操作中に混入、蓄積してくる空気を随時除去することが必須である。当該空気は、特にケーシングの端部（拡径部又は大径部）において貯留しやすい（以下、空気の貯留し易い大径部の空間をＳＰとする。）。これら混入空気は、血液処理装置（通常血液入口を上部に、血液出口を下部にして立設して操作する。）を、当該ケーシング角度を傾けたり、振動を与えて、透析液出口側に空気泡を移動させてエアー抜きを行っているが、この操作は非常に煩雑であり、また、装置を振動させたりすることはその管理上危険である。
特に障害部材を設置している場合は、当該障害部材の形状により、空気が当該障害部材によりスムースなエアー抜き操作が妨害されるという問題もあった。【０００６】
本出願人は、先に、特許文献１において、上記した課題を解決するための障害部材を備えた血液処理装置の発明を提案した。
特許文献１は、空間ＳＰからのエアーの排出口を大きくし、エアーが当該空間ＳＰに滞留することなく速やかに透析液ポート出口方向へ抜けやすくなることで、プライミング作業を速やかに行うことができる血液処理装置であって、その障害部材の形状として、透析液ポート入口近傍から透析液ポート入口と反対側に向かうに従って、基端部から先端部までの長さが短くなるように形成し、かつ、長い部分から短い部分に向けて傾斜する傾斜部を備えるように構成している。そして、当該障害部材の透析液ポート入口と対向する位置には、障害部材の基端部から先端部に向けて、透析液の遮蔽部を延設している。
このように遮蔽部の両端から傾斜部を形成し、遮蔽部の先端頂部は、透析液ポート入口の開口部のハウジングの長さ方向側の端部の位置と実質的に同位置に配置している。
【先行技術文献】
【特許文献】
【０００７】
【特許文献１】特開２０１０−１６２１７１号公報
【発明の概要】
【発明が解決しようとする課題】
【０００８】
本出願人が特許文献１において提案した血液処理装にかかる発明においては、障害部材の基端部から先端部までの長さが短くなるように形成することにより、透析液ポート入口と反対側の障害部材の面積を削減しているので、透析液と共に流入するエアーが当該空間に滞留することなく速やかに透析液ポート出口方向へ抜けやすくなるという利点がある。しかしながら、その反面、障害部材の面積を必要以上に過度に削減し過ぎることになり、本来の障害部材としての機能である、透析液の流入状態を改善し、透析効率を向上させるという機能、を損なうという大きな懸念があることを認識した。【０００９】
さらに本出願人は、従来公知の環状（円筒状）の障害部材に着目し、このような全周を有する障害部材を形成した血液処理装置について、従来ほとんど行われていなかった詳細な観察を元にした検討を行ったところ、透析液ポート入口と反対側位置において、透析液等と共に流入してきたエアーの滞留が起こりやすいという事実があることを見いだした。
本発明の課題はかくして、本来の障害部材の、透析液の流入状態を改善し、透析効率を向上させるという機能を実質的に損なうことが無く、しかも、エアーが当該空間に滞留することなく速やかに透析液ポート出口方向へ抜けやすく構成した障害部材及び当該障害部材を備えた血液処理装置を提供することである。
【課題を解決するための手段】
【００１０】
本出願人はかかる観点から、鋭意検討を重ねた結果、上記した課題を達成した障害部材を備えた以下の血液処理装置の発明に到達した。【００１１】
［１］  本発明は、血液処理装置（１）に関するものであって、当該血液処理装置は、ハウジング（２）の内部に、当該ハウジング（２）の長手Ｌ方向に沿って中空糸膜束（４）を配置し、
当該中空糸膜束（４）の末端ＤＥ側と基端ＰＥ側を、それぞれ固定材（３）により前記ハウジング（２）の末端ＤＥ側と基端ＰＥ側内面に固定し、
前記ハウジング（２）の末端ＤＥ側で、かつ第１側部Ｓ１方向に、透析液ポート入口（７.１）を装着し、
前記ハウジング（２）の基端ＰＥ側で、かつ第１側部Ｓ１方向に、透析液ポート出口（７.２）を装着し、
前記ハウジング（２）の末端ＤＥ側に、血液ポート出口（５．２）を装着し、
前記ハウジング（２）の基端ＰＥ側に、血液ポート入口（５．１）を装着し、
前記ハウジング（２）の長手Ｌ方向に見て、前記透析液ポート入口（７.１）及び／又は前記透析液ポート出口（７.２）を形成した位置に対応する位置に、障害部材（１１）を配置し、
前記障害部材（１１）は、略円筒状の形態を有し、
前記透析液ポート入口（７.１）の障害部材（１１）は、基端ＰＥ側を、前記ハウジング（２）内に固定し、及び／又は、
前記透析液ポート出口（７.２）の障害部材（１１）は、末端ＤＥ側を、前記ハウジング（２）内に固定し、
当該障害部材（１１）は、側部Ｓ方向の少なくとも一箇所に開口部（１１ＯＰ）を形成し、
当該開口部（１１Ｏ）は、長手Ｌ方向に沿うように形成し、
当該開口部（１１Ｏ）は、基端側開口部（１１ＯＰＥ）と末端側開口部（１１ＯＤＥ）とを有し、
前記透析液ポート入口（７.１）の障害部材（１１）は、当該末端側開口部（１１ＯＤＥ）の両側部Ｓ方向、すなわち第３側部Ｓ３側と第４側部Ｓ４側の両方にアール部（Ｒ）を形成し、及び／又は、
前記透析液ポート出口（７.２）の障害部材（１１）は、当該基端側開口部（１１ＯＰＥ）の両側部Ｓ方向、すなわち第３側部Ｓ３側と第４側部Ｓ４側の両方にアール部（Ｒ）を形成した血液処理装置（１）を提供する。【００１２】
[２]  本発明は、前記透析液ポート入口（７.１）の障害部材（１１）は、
前記末端側開口部（１１ＯＤＥ）の大きさ（ＷＤＥ）を、
前記基端側開口部（１１ＯＰＥ）の大きさ（ＷＰＥ）よりも大きく形成し、及び／又は、
前記透析液ポート出口（７.２）の障害部材（１１）は、
前記基端側開口部（１１ＯＰＥ）の大きさ（ＷＰＥ）を
前記末端側開口部（１１ＯＤＥ）の大きさ（ＷＤＥ）よりも大きく形成した[１]に記載の血液処理装置（１）を提供する。
[３]  本発明は、開口部１１Ｏの大きさ（ＷＯ）は、０．１〜４９ｍｍ、
前記透析液ポート入口（７.１）の障害部材（１１）は、
末端側開口部（１１ＯＤＥ）の大きさ（ＷＤＥ）は、０．３〜５５ｍｍ、
基端側開口部（１１ＯＰＥ）の大きさ（ＷＰＥ）は、０．１〜４５ｍｍに形成し、及び／又は、
前記透析液ポート出口（７.２）の障害部材（１１）は、
末端側開口部（１１ＯＤＥ）の大きさ（ＷＤＥ）は、０．１〜４５ｍｍ、
基端側開口部（１１ＯＰＥ）の大きさ（ＷＰＥ）は、０．３〜５５ｍｍに形成した[１]または[２]に記載の血液処理装置（１）を提供する。【００１３】
[４]  本発明は、開口部（１１Ｏ）のアール部（Ｒ）の曲率半径ｒは、１〜６０ｍｍに形成した[１]から[３]のいずれか１項に記載の血液処理装置（１）を提供する。
[５]  本発明は、前記アール部（Ｒ）の角度θは、０°〜６０°に形成した[１]から[４]のいずれか１項に記載の血液処理装置（１）を提供する。
[６]   本発明は、障害部材（１１）は、側部Ｓ方向の二箇所以上に前記開口部（１１ＯＰ）を形成した[１]から[５]のいずれか１項に記載の血液処理装置（１）を提供する。
[７]  本発明は、障害部材（１１）は、少なくとも第２側部Ｓ方向に前記開口部（１１ＯＰ）を形成した[１]から[６]のいずれか１項に記載の血液処理装置（１）を提供する。
【発明の効果】
【００１４】
本発明で規定する特定の障害部材１１を備えた血液処理装置によれば、本来の障害部材１１の機能である、透析液の流入状態を改善し、透析効率を向上させる機能を実質的に損なうことなく、かつ、当該障害部材の作用によりエアーが、特に貯留し易いハウジング２の大径部２．２の空間ＳＰに滞留することなく速やかにハウジング２の基端部ＰＥ方向（透析液ポート出口７．２方向）へ抜けやすいので、容易にエアー抜き操作を行うことができる。
【図面の簡単な説明】
【００１５】
【図１】図１は、本発明の血液処理装置の全体側面図である。
【図２】図２は、本発明の血液処理装置の長手Ｌ方向の断面図である。
【図３】図３は、図２のハウジング２の末端ＤＥ側の一部拡大図である。
【図４】図４は、図３を末端ＤＥ側からみた側面図であり、Ｓ１−Ｓ４は時計の時刻の位置に対応した位置を示す。
【図５】図５は、図１の末端ＤＥ側で、第２側部Ｓ２方向から見た一部拡大図である。
【図６】図６は、障害部材のやや基端ＰＥ方向で、かつ第２側部Ｓ２方向から見た拡大図である。
【図７】図７は、障害部材のアール部Ｒ付近の一部拡大図である。
【図８】図８は、障害部材の拡大図であり、（Ａ）は基端ＰＥ側から見た拡大図、（Ｂ）は末端ＤＥ側からみた拡大図である。
【図９】図９は、障害部材のアール部Ｒ付近の一部拡大図である。
【図１０】図１０は、障害部材のアール部Ｒ付近の一部拡大図である。（図において、末端、基端、側部等の意義については、以下の定義を参照のこと。）
【発明を実施するための形態】
【００１６】
以下、図面を参照しながら本発明を詳細に説明する。
（定義）
なお、本発明を明確に説明し、その技術内容を正確に理解していただくため、図面の記載を基礎として次の定義をおく。
（定義１）本発明で、「基端ＰＥ（側または方向）」とは、血液ポートの位置、すなわち血液の入口、出口を基準とした概念であって、図１、図２に示すように、血液ポート入口５．１側（の端部）を意味する。
（定義２）「末端ＤＥ（側または方向）」とは、図１、図２に示すように、「基端ＰＥ（側または方向）」と反対側の端部、すなわち、血液ポート出口５．２側（の端部）を意味する。
（定義３）「中心軸線ないし中心ＣＬ（側または方向）」とは、図１、図２に示すように、ハウジング２の長手Ｌ方向の中心（図の破線参照）を意味する。
【００１７】
（定義４）「長手Ｌ（側または方向）」とは、図１、図２に示すように、ハウジング２の長尺方向を意味する。
「側部Ｓ（側または方向）」とは、図１に示すように、長手Ｌ方向と略垂直に交わる方向を意味する。
（定義５）「第１側部Ｓ１（側または方向）」とは、図１に示すように、透析液ポート入口７．１側の端部を意味する。図４を参考にして、時計の針の位置で言えば９時方向を意味する。
（定義６）「第２側部Ｓ２（側または方向）」とは、図１に示すように、透析液ポート入口７．１側の端部と反対側の端部を意味する。図４を参考にして、時計の針の位置で言えば３時方向を意味する。
（定義７）「第３側部Ｓ３（側または方向）」とは、図４に示すように、第１側部Ｓ１（側または方向）」と「第２側部Ｓ２（側または方向）」との間の（上部Ｕ側の）位置を意味する。図４を参考にして、時計の針の位置で言えば１２時方向を意味する。
【００１８】
（定義８）「第４側部Ｓ４（側または方向）」とは、図４に示すように、第１側部Ｓ１（側または方向）」と「第２側部Ｓ２（側または方向）」との間の（下部Ｄ側の）位置を意味する。図４を参考にして、時計の針の位置で言えば６時方向を意味する。
（定義９）単に「透析液ポート７」と記載する場合は、透析液ポート入口７．１と透析液ポート出口７．２の両方を意味する。
【００１９】
（各部の名称の位置・配置等の方向性を示す符号の記載について）
本発明の図面及び発明の説明の中で、例えば図６に例示するように、アール開始点ＲＩの符号で表し、第３側部Ｓ３側のアール開始点を「ＲＩ／Ｓ３」と記載した。
なおこれらのアール開始点ＲＩ並びにこれら以外の各部の名称で、「第３側部Ｓ３側」等の位置・配置等の方向性を示す符号は、発明の理解ができ、必要と認められる範囲内で、図面及び発明の説明の中で一部のみについて記載した。
【００２０】
（血液処理装置の概要）          
本発明の血液処理装置１の構成は、図１の全体側面図や、図２の長手Ｌ方向の断面図に示したとおりであり、より詳しくは、例えば図５の一部拡大図に示したとおりである。すなわち、ハウジング２の内部に、ハウジング２の長手Ｌ方向に沿って中空糸膜束４を配置し、中空糸膜束４の基端ＰＥ側と、末端ＤＥ側とを、固定材３によりハウジング２内に固定している。
さらに詳述すれば、ハウジング２は、その末端ＤＥ側（血液出口側）は、図１、図２、図３、図５に例示するように、当該末端ＤＥ側に向けて、小径部２．１、移行部２．３を介して、大径部２．２を有する。大径部２．２の第１側部Ｓ１に透析液ポート入口７．１を装着している。
またハウジング２の基端ＰＥ側（血液入口側）は、基端ＰＥ側に向けて小径部２．１、移行部２．３を介して、大径部２．２を有する。大径部２．２の第１側部Ｓ１に透析液ポート出口７．２を装着している。
【００２１】
図１に示すように、ハウジング２の基端ＰＥ側（のキャップ部材８）に貫通して、血液ポート入口５．１を装着し、ハウジング２の末端ＤＥ側（のキャップ部材８）に血液ポート出口５．２を貫通、装着している。
そして、図４に示すように、ハウジング２の末端ＤＥ側（血液出口ポート側）で、第１側部Ｓ１方向（時計の９時方向）に、透析液ポート入口７.１を装着し、図１に示すように、ハウジング２の基端ＰＥ側（血液入口ポート側）で、第１側部Ｓ１方向に、透析液ポート出口７.２を装着している。
ハウジング２の長手Ｌ方向に見て、透析液ポート入口７.１を形成した位置に、図２−３に示すように、流入する透析液を遮蔽するように、末端ＤＥ側に障害部材１１（末端ＤＥ側障害部材１１）を対向させて設けている。
同様に、装置を反転して使用する場合を考慮して、透析液ポート出口７.２を形成した位置（基端ＰＥ側）にも、障害部材１１（基端ＰＥ側障害部材１１、図示せず）を設けることができる。
【００２２】
ここでハウジング２を形成する材料として、特に限定するものではないが例えば、ポリカーボネート樹脂、ポリプロピレン樹脂、ポリブチレン樹脂、ポリスチレン樹脂、ポリメチルメタクリレート樹脂等が使用され、固定材３としては、通常ポリウレタン系樹脂などが使用される。
また、本発明において、中空糸膜としては、特に限定するものではないが、通常使用されるポリスルフォン樹脂、ポリエーテルスルフォン樹脂、ポリアリールスルフォン樹脂、エチレン−ビニルアルコール共重合体、ポリビニルアルコール樹脂、セルロースアセテート樹脂、ポリアミド樹脂、ポリイミド樹脂、ポリアクリロニトリル樹脂等が使用される。
【００２３】
（障害部材）
以下、説明の便宜上、末端ＤＥ側（血液出口ポート側）の障害部材１１の例について説明する。
これは、図１、図２のような血液処理装置１においては、末端ＤＥ側と基端ＰＥ側との位置を単に反転して（ハウジングの上下を逆さまにし、血液入口ポートと出口ポートを入れ替えれば）そのまま使用できることは、当業者において自明であるため、基端ＰＥ側の障害部材１１については、あえて説明する必要は無いと考えられるからである。
ここで血液処理装置を反転して使用する場合において、透析液ポート出口７．２を形成した側の基端ＰＥ側の障害部材１１は、（透析液ポート入口７．１側の）末端ＤＥ側の障害部材１１の「基端側ＰＥ側」とあるのを『末端側ＤＥ側』と、「末端側ＤＥ側」とあるのを『基端側ＰＥ側』と、「第３側部」とあるのを『第４側部』と、「第４側部」とあるのを『第３側部』と、それぞれ読み替えれば、同様の機能を有することは、当業者であれば自明であると思われる。
【００２４】
本発明において、障害部材１１は、図２、図４、図６等に例示するようにいわゆる「略円筒状」を有している。
またこの略円筒状の障害部材１１は、図２、図３に例示するように基端ＰＥ側外周壁（円筒状体の円周端面）を、ハウジング２の内周壁（小径部乃至移行部の壁面）に固定している。
さらにいえば、透析液ポート入口７.１側に配置した障害部材１１は、基端ＰＥ側をハウジング２内に固定し、透析液ポート出口７.２側に配置した障害部材１１は末端ＤＥ側を、ハウジング２内に固定している。（先に定義したように、血液ポート入口側が基端側、血液ポート出口側が末端側である。）
すでに述べたように、障害部材１１は、透析液ポート入口７.１または透析液ポート出口７.２のどちらか一方に形成すればよく、両方に形成してもよい。ただし、少なくとも透析液ポート入口７.１に形成することが好ましい。
障害部材１１は、ハウジング２の移行部２．３から大径部２．２の途中にいたるまでの位置において、図２−３に示すように、透析液ポートの下部に対向して、すなわち流入してくる透析液を遮蔽し、流入液を分散させるような態様で形成している。
より詳しくは、この略円筒状の障害部材１１は、これを中空糸膜束の周囲を覆うように配設することにより、その全周を、流入する透析液の直撃より保護することができる。
【００２５】
（障害部材の開口部）
すでに述べたように、本発明の血液処理装置におけるハウジング２は、末端ＤＥ側に向けて、小径部２．１、移行部２．３を介して、大径部２．２を有するものであり、その大径部２．２の第１側部Ｓ１に透析液ポート入口７．１を装着している。
また基端ＰＥ側は、基端ＰＥ側に向けて小径部２．１、移行部２．３を介して、大径部２．２を有するものであるが、大径部２．２の第１側部Ｓ１に透析液ポート出口７．２を装着している。
そして、いずれの場合においても、障害部材１１は、ハウジング２の移行部２．３から大径部２．２の途中にいたるまでの位置において形成している。
【００２６】
本発明において、障害部材１１は、例えば図５、図６に例示するように第２側部Ｓ２側に、開口部１１Ｏを形成している。
本発明の血液処理装置１の特徴の一つは、このように、略円筒状の障害部材１１の側部Ｓ方向の少なくとも一箇所に、特定の形状の開口部１１Ｏを形成した点である。
開口部１１Ｏは、図４に示すように、側部Ｓ方向の少なくとも一箇所に形成すればよい。ただし、障害部材の本来の機能である流入する透析液を遮蔽し、これが直接に中空糸膜束に衝突することを防止する観点からは、少なくとも、第１側部Ｓ１方向ないし第１側部Ｓ１方向近傍を除いて、開口部を形成すべきであり、これ以外であれば、任意の位置に形成可能である。
【００２７】
例えば、図４を参照して、第２側部Ｓ２方向、第３側部Ｓ３方向、第４側部Ｓ４方向、第１側部Ｓ１方向と第２側部Ｓ２方向との間、第２側部Ｓ２方向と第３側部Ｓ３方向との間、第３側部Ｓ３方向と第４側部Ｓ４方向との間、第４側部Ｓ４方向と第１側部Ｓ１方向との間等である。
開口部１１Ｏの最も好ましい形成位置は、後記するようにエアーが滞留しやすい第２側部Ｓ２方向である。
開口部１１Ｏは、前記各方向（Ｓ１、Ｓ２、Ｓ３、Ｓ４、Ｓ１−Ｓ２との間、Ｓ２−Ｓ３との間、Ｓ３−Ｓ４との間、Ｓ４−Ｓ１との間）に、二箇所以上組み合わせて配置してもよい。例えば二箇所〜六箇所、二箇所〜五箇所、二箇所〜四箇所、又は二箇所〜三箇所等が採用される。
例えば、二箇所配置する場合は、（Ｓ２とＳ３）、（Ｓ２とＳ４）、（Ｓ２とＳ２−Ｓ３との間）、（Ｓ２とＳ２−Ｓ４との間）等であり、三箇所配置する場合は、（Ｓ２とＳ３とＳ４）、（Ｓ２とＳ３とＳ２−Ｓ３との間）、（Ｓ２とＳ３とＳ２−Ｓ４との間）、（Ｓ２とＳ４とＳ２−Ｓ３との間）、（Ｓ２とＳ４とＳ２−Ｓ４との間）等である。
開口部１１Ｏの配置数は、あまり多くすると、本来の障害部材としての機能（すなわち、透析液の流入状態を改善し、透析効率を向上させる機能）を損なうという懸念があるので好ましくない。
【００２８】
（開口部の機能）
以下開口部１１Ｏを、最も基本的な第２側部Ｓ２方向に一箇所形成した場合の機能（作用）について説明する。
図４を参照するに、透析液ポート入口Ｓ１から流入した透析液は、円筒状障害部材１１と、その９時の位置（ＮＮ）において衝突し、次に当該円筒の外周に沿って、時計回り（ＮＮ→ＥＥ→ＳＳ）及び／又は反時計回り（ＮＮ→ＷＷ→ＳＳ）の経路を流れ、最終的に開口部が形成されている部位ＳＳに到達する。これにより、流入透析液の同伴空気もこの開口部に到達することになる。（なお、透析液の一部はこの流路の途中で、円筒状障害部材の端面をオーバーフローし、当該オーバーフローした透析液は、（障害部材内に回り込むことにより）長手方向Ｌの流れとなり、中空糸膜束の端面から、中空糸膜束に沿って流入し、望ましい向流操作が実現される。）
【００２９】
開口部１１Ｏは、最も代表的な図６に例示するように、略円筒状の障害部材１１の長手Ｌ方向に沿うように形成しており、当該開口部１１Ｏは、末端ＤＥ側（血液出口側）から基端部ＰＥ側（血液入口側）に、連続して、すなわち貫通（連通）して形成している。これは、後述するように、混入する気泡は、この開口部を流路として、当該流路にそって末端側から基端側へと移動（上昇）する。したがって、エアー抜きがスムースに行われるためには、当該開口部１１Ｏは貫通（連通）した流路を形成していることが必要なのである。
このように貫通している開口部１１Ｏは、より正確に述べれば、末端側開口部１１ＯＤＥと基端側開口部１１ＯＰＥとを有する。
【００３０】
本発明においては、例えば末端ＤＥ側（血液出口側）の障害部材１１において、貫通する開口部１１Ｏを形成するものであるが、ここで注意すべきは、このように透析液ポート入口７.１に対向して配置される障害部材１１は、まず基本的な発想として、末端側（血液出口側）開口部１１ＯＤＥのサイズＷＤＥを、基端側（血液入口側）開口部１１ＯＰＥのサイズＷＰＥよりも大きく形成したことである。通常、血液処理装置は、立設されて操作されるものであり、末端側（血液出口側）の大開口部１１ＯＤＥが下部、基端側（血液入口側）の小開口部１１ＯＰＥが上部となるように設置される。
【００３１】
このような状況であるから、下方を向いて大きく拡張している大開口部１１ＯＤＥは、いわば漏斗状に広がっており、図７に示したように、混入し、上昇してくる空気泡Ａｂを捕集する作用を奏することになる。そして、捕集された小空気泡Ａｂは、図７に示すように、上方に向けて徐々に細くなる流路に沿って移動する内に、互いに近接して衝突・合一（coalescence）し、より大きな気泡が形成される。このようにして形成された大きな気泡は、中空糸膜束に沿って速やかに上昇し、ハウジング上部に形成された透析液ポート出口から系外に除かれる。これが本発明の基本的な発想であり、従来には全く存在しなかったものである。(なお、小空気泡が仮に合一しない場合でも、広い範囲に分散していた気泡が、流路が狭くなるにつれてより狭い範囲に高い密度で集まり一群の空気泡となるため、エアー抜け操作ははるかに容易、確実に行われる。）
【００３２】
かかる基本的な発想にもとづき、本発明においては、さらに当該気泡の捕集機能をより完全に行うため、当該大開口部から小開口部への遷移を、Ｒで規定されるなめらかな曲線として規定することにより最も効果的な気泡の捕集を実現することができる。
以上の状況において、本発明においては、末端側開口部１１ＯＤＥの両側、すなわち、第３側部Ｓ３側と第４側部Ｓ４側の両方にアール部Ｒを形成することを特徴としている。
この点について、さらに正確に述べれば、透析液ポート入口７.１の障害部材１１は、末端側開口部１１ＯＤＥの両側部Ｓ方向、すなわち第３側部Ｓ３側と第４側部Ｓ４側の両方にアール部Ｒを形成する。（ここでアール部Ｒとは、この開口部が円弧の一部としての曲線で表現されることをいう。）（なお、念のため、透析液ポート出口７.２に障害部材１１を設置する場合は、基端側開口部１１ＯＰＥの両側部Ｓ方向、すなわち第３側部Ｓ３側と第４側部Ｓ４側の両方にアール部Ｒを形成する。）
【００３３】
ここで、アール部についてさらに詳しくは、図６中、ＲＩはアール部Ｒの開始点（アール開始点ＲＩ、すなわち大開口部の開始点）を示し、ＲＥはアール部Ｒの終点（アール終点ＲＥ、すなわち大開口部の終点であり、小開口部の開始点）を示している。
（Ａ）開口部１１Ｏは、アール終点ＲＥから基端ＰＥ方向に向けて、小開口部が長手方向に沿うように、実質的に等間隔（略直線状）に形成することが基本であるが、場合によっては、（Ｂ）開口部１１Ｏは、アール終点ＲＥから基端ＰＥ方向に向けて、当該小開口部が長手方向に沿うように、若干（または僅かに）間隔が狭くなるように、いわゆる先細りテーパー状に形成してもよい。
【００３４】
開口部１１Ｏの大きさ（幅）については図６に示したように、位置によって異なるものであり、以下のとおり規定される。
開口部１１Ｏの大きさＷＯとは、基本的には、等間隔（略直線状）部分の第３側部Ｓ３側と、第４側部Ｓ４側との間の直線距離を意味する。
開口部１１Ｏを先細りテーパー状に形成した場合は、アール終点ＲＥの第３側部Ｓ３側と、第４側部Ｓ４側との間の距離を意味する。
そして開口部１１Ｏの両端部における大きさ（幅）については、末端側開口部１１ＯＤＥの大きさＷＤＥは、第３側部Ｓ３側のアール開始点ＲＩ／Ｓ３と第４側部側のアール開始点ＲＩ／Ｓ４との間の距離を意味する。
また、基端側開口部１１ＯＰＥの大きさＷＰＥは、第３側部Ｓ３側のアール終点ＲＥ／Ｓ３と第４側部Ｓ４側のアール終点ＲＥ／Ｓ４との間の距離を意味する。
大きさＷＤＥ、ＷＰＥについてより正確には、ＷＰＥを示す図８（Ａ）、ＷＤＥを示す図８（Ｂ）に例示するように、第３側部Ｓ３側端部と、第４側部Ｓ４側端部との間の直線距離（ｍ、ｍ´）を意味する。大きさＷＯも同様に直線距離を意味する。
【００３５】
上記したように、本発明においては、透析液ポート入口７.１の障害部材１１は、末端側開口部１１ＯＤＥの大きさＷＤＥを、基端側開口部１１ＯＰＥの大きさＷＰＥよりも大きく形成し、透析液ポート出口７.２の障害部材１１は、基端側開口部１１ＯＰＥの大きさＷＰＥを末端側開口部１１ＯＤＥの大きさＷＤＥよりも大きく形成しているが、具体的な好ましい数値は以下のとおりである。
（ｉ）開口部１１Ｏの大きさＷＯは、０．１〜４９ｍｍ、好ましくは、１．５〜５ｍｍに形成するのが良い。
（ｉｉ）透析液ポート入口７.１の障害部材１１は、末端側開口部１１ＯＤＥの大きさＷＤＥは、０．３〜５５ｍｍ、好ましくは、５〜２０ｍｍに形成するのが良い。
基端側開口部１１ＯＰＥの大きさＷＰＥは、０．１〜４５ｍｍ、好ましくは、１〜４ｍｍに形成するのが良い。
（ｉｉｉ）透析液ポート出口７.２の障害部材１１は、末端側開口部１１ＯＤＥの大きさＷＤＥは、０．１〜４５ｍｍ、好ましくは、１〜４ｍｍに形成するのが良い。
基端側開口部１１ＯＰＥの大きさＷＰＥは、０．３〜５５ｍｍ、好ましくは、７〜２０ｍｍに形成するのが良い。
【００３６】
開口部１１Ｏの大きさＷＯ、末端側開口部１１ＯＤＥの大きさＷＤＥ、及び基端側開口部１１ＯＰＥの大きさＷＰＥは、あまり大きく形成すると、本来の障害部材（「バッフル板（筒）ともいう」）としての機能（すなわち、透析液の流入状態を改善し、透析効率を向上させるという機能）を損なうという懸念があるので好ましくなく、一方、あまり小さく形成すると、エアー抜け効果が妨害されることになり、好ましくない。上記数値範囲に開口部の大きさを形成すると、障害部材としての本来の機能を維持しつつ、しかも、エアー抜け効果も十分に奏することが可能となる。
【００３７】
（アール部Ｒの曲率半径ｒ／透析液ポート入口７.１の障害部材１１）
図９に例示するように、（円弧の一部である）アール部Ｒの曲率半径ｒは、１〜６０ｍｍ、好ましくは、１．５〜１０ｍｍに形成するのが良い。
曲率半径ｒは、この数値を増加させると末端側開口部１１ＯＤＥの大きさＷＤＥを大きくすることができる。
曲率半径ｒは、例えば６０ｍｍをこえるような、あまり大きな値とすると、末端側開口部１１ＯＤＥの大きさＷＤＥが大きくなりすぎて、本来の障害部材（「バッフル板（筒）ともいう」）としての機能である、透析液の流入状態を改善し、透析効率を向上させる機能、を損なうことになるので好ましくない。
一方、曲率半径ｒは、１ｍｍ未満のように、あまり小さく形成すると、末端側開口部１１ＯＤＥの大きさＷＤＥが小さくなりすぎて、エアー抜け効果が期待できないので好ましくない。
なお、すでに述べたように、透析液ポート出口７.２の障害部材１１の曲率半径ｒの説明は、「末端側開口部１１ＯＤＥ」とあるのを『基端側開口部１１ＯＰＥ』と読み替えればよいので、詳細な説明は省略する。
【００３８】
（アール部Ｒの角度θ／透析液ポート入口７.１の障害部材１１）
前記段落［００３３］（Ｂ）に記載のように、開口部１１Ｏを、先細りテーパー状に形成した場合を、評価するため、アール部Ｒの角度θを定義する。すなわちθは  図１０[図９の基端ＰＥ方向の一部をさらに誇張した拡大図]に例示するように、アール部Ｒの終点ＲＥ近傍の傾斜線ＲＳと延長線ＬＬ（中心軸線ＣＬと平行で、基端ＰＥ側から末端ＤＥ側へ伸びる線）がなす角度と定義する。
このように定義したＲ部の角度θは、いわばアール部Ｒの曲線から直線への接続角度であって、本発明においては、０°〜６０°、好ましくは、１°〜５°に形成するのが良い。
角度θは、例えば５°を超えるようなあまり大きい値であると、末端側開口部１１ＯＤＥの大きさＷＤＥが大きくなりすぎて、本来の障害部材としての機能である、透析液の流入状態を改善し、透析効率を向上させる機能、を損なうことになるので好ましくない。
一方、θが、１°未満のような、あまり小さい値であると、末端側開口部１１ＯＤＥの大きさＷＤＥが小さくなりすぎて、エアー抜け効果が期待できないので好ましくない。
なお、念のため、前記段落［００３３］（Ａ）のように、開口部１１Ｏを、実質的に等間隔（略直線状）に形成した場合、当該角度θは０°となる。
本発明においては、透析液ポート出口７.２の障害部材１１についても、同様に、開口部１１Ｏを、先細りテーパー状に形成することができるが、その場合のアール部Ｒの角度θの説明は、「基端ＰＥ側」とあるのを『末端ＤＥ側』、「末端ＤＥ側」とあるのを『基端ＰＥ側』、「末端側開口部１１ＯＤＥ」とあるのを『基端側開口部１１ＯＰＥ』とそれぞれ読み替えればよいので、詳細な説明は省略する。
【００３９】
（障害部材１１の機能：末端ＤＥ側）
以上のように構成した、障害部材１１を末端ＤＥ側に形成した場合についてその機能を説明する。
（１）  透析液は、例えば図４に示したように、透析液ポート入口７．１（第１側部Ｓ１方向）から、ハウジング２の末端ＤＥ側（血液出口側）に流入する。
（２）  透析液は、障害部材１１の第１側部Ｓ１側の壁面ＮＮに衝突し、第３側部Ｓ３の壁面ＥＥ及び／又は第４側部Ｓ４の壁面ＷＷに沿って、迂回しながら流れ、第２側部Ｓ２側の壁面ＳＳに移動する。すなわち、透析液は、障害部材１１の壁面に沿って、ＮＮ→ＥＥ→ＳＳ及び／又はＮＮ→ＷＷ→ＳＳと流れる。なお、ＳＳには、図に示したように開口部１１Ｏが形成されている。
（３）  一方、透析液は、略円筒状の障害部材の円周端面（淵）を超えて、円筒内部に流入するので、必然的にその流れ方向は、ハウジングの長手方向（すなわち中空糸膜束に平行な方向）である。すなわち、中空糸膜束に沿って、ハウジング２の基端ＰＥ方向へ流れる。
（４）  ハウジング２の（移行部２．３ないし）大径部２．２内に透析液に同伴され、またはここで発生し、又は予めこの部位に貯溜されていたエアーは、上記した透析液の流れに同伴し、Ｓ１の壁面位置ＮＮから、障害部材１１の第３側部Ｓ３の壁面ＥＥ及び／又は第４側部Ｓ４の壁面の位置ＷＷ方向から、第２側部Ｓ２側の壁面の位置ＳＳに移動する。
（５）  ＳＳ部に到達したエアー（気泡）Ａｂは、図７に示す末端側開口部１１ＯＤＥのアール部Ｒに沿って、基端側開口部（１１ＯＰＥ側）に向かって移動する。ここで、エアー（気泡）Ａｂは、図に示すように、上方に向けて次第に細くなるように形成された流路に沿って移動する内に、衝突して融合、合一し、より大きなエアー気泡Ａｂが形成される。（又は、気泡同士が粗な分散状態から、より密な気泡群Ａｂの状態となる。）このようにして形成された大きなエアー泡（又は密接した気泡群）は、さらに中空糸膜束に沿ってハウジング内を速やかに上昇し、最終的にはハウジング上部に形成された透析液ポート出口から系外に除かれる。
このように、本発明の障害部材は、末端側開口部１１ＯＤＥとアール部Ｒにて規定するように、広い開口から次第になだらかに狭くなるように形成したので、エアーが末端ＤＥ側から、基端ＰＥ側に速やかに抜けるのが促進される。
【実施例】
【００４０】
（実施例１）
（試験装置）
（１）本発明の血液処理装置１における障害部材１１（円筒状で、これに単一の開口部１１Ｏを形成したもの）のエアー抜き効果を確認する試験を行った。
血液処理装置１は、図１、図２に記載の形態で、高圧蒸気滅菌処理したものを使用した。中空糸膜束４は、ポリスルフォン樹脂製で膜面積：２．０ｍ2であり、固定材３はポリウレタン樹脂（日本ポリウレタン工業社製）を使用した。ただし、（ｉ）固定材３（ポリウレタン樹脂）の端部は切断し、（ｉｉ）血液ポート（５．１、５．２）はハウジング２に溶着した。
（２）開口部のサイズ
開口部１１Ｏは、図６に示したような形状のものであって、大きさＷＯ：２．７ｍｍ、末端側（血液出口側）の開口部１１ＯＤＥの大きさＷＤＥ：１０．８ｍｍであり、基端側（血液入口側）開口部１１ＯＰＥの大きさＷＰＥ：２．４ｍｍ、アール部Ｒについては、図９に示すアール部Ｒの曲率半径ｒ：４ｍｍ、図１０に示すアール部Ｒの角度θ：２°に形成した。【００４１】
（試験方法）
以下の手順で、エアー抜けを評価した。
（１）まず、血液処理装置において透析液側（すなわち中空糸膜束の外側の空間で両端が透析液ポート入口と出口に接続している）に透析液に模した純水を充填し、そのエアーを可能な限り追い出した後、サンプル（純水を満たした血液処理装置）の重量＝試験前重量を電子天秤で測定した。
（２）（試験回路の作製）
透析液ポート入口７．１と透析液ポート出口７．２にそれぞれシリコーンチューブ（φ６×１２ｍｍ）を接続し、当該シリコーンチューブの端部を純水（蒸留水）の入った容器（ビーカー）に接続した。
透析液ポート入口７．１側に接続したシリコーンチューブの途中に、送液ポンプを配置した。
（３）透析液ポート入口７．１側にコネクターを接続する際に、予め純水（蒸留水）を充填したシリコーンチューブをかん子でクランプし、クランプした位置からコネクター開口部まで、純水（蒸留水）を取り除いてから接続した（この水を取り除いた部分のチューブの内容積をＶａとすれば、当該チューブ内には、容積Ｖａの空気が含有されていることになる。）。
（４）かん子を外してから、透析液側流量ＱD＝４００ｍＬ／ｍｉｎで純水（蒸留水）を１分間流した。この場合において、まず、純水が流入するとともに、当該ハウジング２内に、一定量（Ｖａ）のエアーが最初に送り込まれる。そして、引き続き純水が１分間流入するとともに、当該混入した空気Ｖａは、本発明で規定する障害部材１１の特定の開口の作用により捕集され・合一した空気泡、又は一群の空気泡として、引き続き流入する純水とともにハウジング内を上昇し透析液ポート出口から排出される。
（５）純水の送液ポンプを停止後、エアー残量を確認するため、障害部材１１の第２側部Ｓ２側を撮影した。映像から目視により残留しているエアーは確認されなかった。
（６）サンプル（透析液を模した純水を満たした血液処理装置）を立てた状態のまま、試験回路を取り外し、再度天秤に寝かせて（横にして）重量（試験後重量）を測定した。
（７）エアー残量＝試験前重量−試験後重量として算出し、エアー抜け性を比較した。
（８）以上の試験を３回繰り返した（サンプル数ｎ＝３）結果を表１に記載した。【００４２】
（比較例１）
実施例１において、障害部材１１を従来の全周（円筒状）の障害部材であって、開口部を全く設けないものに代えた他は、全く同様の試験を行った（サンプル数ｎ＝３）。結果を表１に示した。【００４３】
（考察）
表１において、実施例１と比較例１を比較すると、本発明（実施例）の血液処理装置は、比較例の血液処理装置よりも、エアー残量が少なく、透析液プライミング時のエアー抜けを非常に容易にする効果があることが確認できた。
【００４４】
【表１】
2014050468.tif 000003
【００４５】
（実施例２）（比較例２）
（試験装置）
本発明の血液処理装置１の障害部材１１（開口部１１Ｏを形成）のエアー抜き効果を確認するため、開口部１１Ｏの大きさＷＯを変化させて、試験を行った。
なお、血液処理装置は、実施例１と基本的に同じものであるが、ただし、固定材３（ポリウレタン樹脂）の端部を切断せず、血液ポート（５．１、５．２）をハウジング２に溶着していない点でのみ異なる。【００４６】
（試験サンプルの開口部のサイズ等）
（ａ）開口部１１Ｏの大きさＷＯとしては、（ｉ）ＷＯ＝０ｍｍ（開口部なし）、（ｉｉ）ＷＯ＝１．０ｍｍ、（ｉｉｉ）ＷＯ＝２．５ｍｍの各サンプルをそれぞれｎ＝２コ用意し、同様の試験を２回づつ行った（サンプル数ｎ＝２）。なお、（ｉ）は比較例２、（ｉｉ）（ｉｉｉ）は実施例２である。
（ｂ）また開口部の大きさＷＯ＝１．０ｍｍ、２．５ｍｍの場合について、双方ともアール部Ｒは、曲率半径ｒ＝２ｍｍ、アール部Ｒの接続角度θ＝１°に形成した。
（ｃ）末端側（血液出口側）開口部１１ＯＤＥの大きさＷＤＥは、それぞれ（ｉｉ）ＷＤＥ＝５．３ｍｍ、（ｉｉｉ）ＷＤＥ＝６．６ｍｍに形成した。
（ｄ）基端側（血液入口側）開口部１１ＯＰＥの大きさＷＰＥは、それぞれ（ｉｉ）ＷＰＥ＝１．３ｍｍ、（ｉｉｉ）ＷＰＥ＝２．６ｍｍに形成した。【００４７】
（試験方法）
（１）作製したサンプルに水を充填し、透析液ポート入口７．１を下にした時のエアー抜け状態をカメラで撮影した。
（２）透析液側に太径（内径×外径＝４．６ｍｍ×６．８５ｍｍ）のチューブを接続し、４００ｍＬ／ｍｉｎで1分間プライミングした。
（３）プライミング後の透析液ポート入口７．１のエアー抜け状態をカメラで撮影した。【００４８】
（試験項目）
（１）（エアー抜け性の評価）
撮影した映像について以下のようにして目視により判断、評価した。
○；1分間のプライミング中にエアーが全て抜けた場合を○とする。
×；1分間のプライミング後にエアーが残った場合を×とする。
（２）（エアー除去時間）
なお、（１）において、プライミング中にエアーが抜け、○と判断された場合については、プライミング開始からエアーが全て抜けるまでの時間を記録した。【００４９】
（試験結果）
評価項目（１）及び（２）の結果を表２にまとめた。
表２より、本発明（実施例２）の開口部を形成した障害部材の血液処理装置は、比較例２の開口部を形成していない障害部材の血液処理装置よりも、プライミング中のエアーは抜け効果が著しく改善されることを確認できた。
なお、開口部１１Ｏのサイズを大きくすることにより、エアーが抜けるまでの時間はより短くできることが確認できた。【００５０】
【表２】
2014050468.tif 000004
【００５１】
実施例においてこの障害部材により透析液の入口近傍の流れを詳細に目視（写真撮影）により確認したが、初期の目的どおり、供給された透析液は直接中空糸膜束には衝突せず、円筒状障害部材の末端部の円周端部から中心に向かう流れとして良好に分配されることを確認した。
【産業上の利用可能性】
【００５２】
以上のように、本発明によれば、障害部材の機能を実質的に損なうことが無く、しかも、装置の効率を低下させる装置内に導入されるエアーが当該装置空間内に滞留することなく速やかに装置外に抜けやすい障害部材を備えた血液処理装置が提供されるので、血液透析、血液ろ過、血液透析ろ過、血漿分離等の血液処理装置を使用する医療現場においてその産業状の利用可能性は大きい。
【符号の説明】
【００５３】
１ 血液処理装置
２ ハウジング
２．１ 小径部
２．２ 大径部
２．３ 移行部
３ 固定材
４ 中空糸膜束
５．１ 血液ポート入口
５．２ 血液ポート出口
７    透析液ポート
７．１ 透析液ポート入口
７．２ 透析液ポート出口
８  キャップ部材
１１  障害部材（バッフル板（筒））
１１Ｏ      開口部
１１ＯＤＥ  末端側開口部
１１ＯＰＥ  基端側開口部
ＣＬ  中心軸線
ＬＬ  延長線（中心軸線ＣＬと平行で基端ＰＥ側から末端ＤＥ側へ伸びる線）
ＮＮ  障害部材において、Ｓ１（９時）に対応する壁（表面）の位置
ＥＥ  障害部材において、Ｓ３（１２時）に対応する壁（表面）の位置
ＳＳ  障害部材において、Ｓ２（３時）に対応する壁（表面）の位置
ＷＷ  障害部材において、Ｓ４（６時）に対応する壁（表面）の位置
Ａｂ  エアーまたは気泡
Ｒ  アール部
ＲＩ  アール開始部
ＰＥ  アール終点
θ  アール部Ｒの角度（アール部の曲線から直線への接続角度）
【図１】
2014050468.tif 000005
【図２】
2014050468.tif 000006
【図３】
2014050468.tif 000007
【図４】
2014050468.tif 000008
【図５】
2014050468.tif 000009
【図６】
2014050468.tif 000010
【図７】
2014050468.tif 000011
【図８】
2014050468.tif 000012
【図９】
2014050468.tif 000013
【図１０】
2014050468.tif 000014
【国際調査報告】
2014050468.tif 000015
2014050468.tif 000016
2014050468.tif 000017
2014050468.tif 000018